(57)【要約】【課題】シンギングボールの音程可変自動演奏による演奏表現力向上。【解決手段】シンギングボール内の液体・液面を上下変化することにより発生音の音程を変化させる。液面の上下変化と発生音の変化を演奏部材・シンギングボール相互間自動調節することにより、連続した自動演奏を可能とした。【選択図】　　図１
2004126489.tif 000002
【特許請求の範囲】
【請求項１】
置き台と演奏部材を備え、置き台に設置された内部に液体を有するシンギングボールの端面付近を演奏部材が打撃或いは接触して相対的に摺動移動し擦ることにより振動音を発生する装置でシンギングボール内の液体液面を上下動する事により振動音の高低を調節するシンギングボール自動演奏装置。
【請求項２】
置き台と演奏部材を備え、置き台に設置された内部に液体を有するシンギングボールの端面付近を非接触で演奏部材により音波・超音波・磁力・誘電力・静電力・空気噴出力・液体噴出力・放電等の内一つまたは複数にて加振することにより振動音を発生する装置でシンギングボール内の液体液面を上下動する事により振動音の高低を調節するシンギングボール自動演奏装置。
【請求項３】
置き台と演奏部材のすくなくともいずれか一方が回転移動する請求項１、２に記載のシンギングボール自動演奏装置。
【請求項４】
液体液面の上下動はシンギングボール内底面近くに吐出口を持つパイプから液体又は気体の吐出と吸入により行うことを特徴とする請求項１，２、３に記載のシンギングボール自動演奏装置。
【請求項５】
液体液面の上下動は液面上部から容積を持つ排水部材の侵入量の大小により行うこと又は液面が波打つ様に掻き回すことにより行うこと又はシンギングボールを傾ける・揺することにより行うこと又は液体の中に設置した伸縮自在の袋状容器名内に気体を出し入れすることにより行うこと又は液体の中に気体を噴出して行うことの少なくとも一つを行うことを特徴とする請求項１、２、３、４に記載のシンギングボール自動演奏装置。
【請求項６】
液体は伸縮自在の袋状容器内に有ることを特徴とする請求項１、２、３、４、５に記載のシンギングボール自動演奏装置。
【請求項７】
置き台又は演奏部材の移動駆動力は電気モーター、磁気・フライホイルモーター、ゼンマイバネ力、油圧モーター、液体噴出力、空気圧、磁気誘導等のいずれか又は複数によることを特徴とする請求項１乃至６に記載のシンギングボール自動演奏装置。
【請求項８】
置き台は磁気力、液体、空気圧等のいずれかにより浮遊保持されていることを特徴とする請求項１乃至７に記載のシンギングボール自動演奏装置。
【請求項９】
固定置き台とシンギングボールとの間に液体又は気体を噴出してシンギングボールを浮遊保持したことを特徴とする請求項１乃至７に記載のシンギングボール自動演奏装置。
【請求項１０】
振動数発生装置と振動又は発生音検出装置を備え設定した振動数で演奏部材を移動するとともにシンギングボールの発生する振動・音が同設定した振動・音になるように液体液面の上下動を制御する、又は、液体液面の上下動により変化するシンギングボールから発生する振動・音を検出し演奏部材の移動速度を制御する、又は、シンギングボールの移動速度を制御することのいずれか少なくとも一つを行うことを特徴とする請求項１乃至９に記載のシンギングボール自動演奏装置。
【請求項１１】
音波又は超音波振動発生装置又は磁力・誘電力・静電力・空気噴出力・液体噴出力・放電・打撃等を周期的に発生可能な装置のすくなくとも一つを備え振動又は発生音検出装置又は共振点検出装置を備え設定した振動数の周期でシンギングボールを加振するとともにシンギングボールの発生する振動・音が同設定した振動・音になるように液体液面の上下動を制御する、又は、液体液面の上下動により変化するシンギングボールから発生する振動・音を検出又は共振点を検出してシンギングボールへの加振周期を制御することのいずれか少なくとも一つ行うことを特徴とする請求項１乃至９に記載のシンギングボール自動演奏装置。
【発明の詳細な説明】
【０００１】
【発明の属する技術分野】
本発明は、音響発生楽器シンギングボールの自動演奏装置に関するものである。
【０００２】
【従来の技術】
シンギングボールは通常音程は変えられず、その内部に水等を入れて音程を変えることは可能であるが演奏を中断せずに水等の出し入れは困難であった。また、演奏も演奏部材等で叩くことが一般的であった。
【０００３】
異なる音程を連続して発生するためには異なる各音程を発生するシンギングボールを必要な数揃えることになり設置場所・費用がかかっていた。また、振動発生の個体その物が別物となるため音色や響きを揃えるのが困難であった。
【０００４】
演奏部材はシンギングボールを叩く又擦ることで演奏を行うことであり安定した振動音を連続的に発生するには不充分であった。
【０００５】
【発明が解決しようとする課題】
同一個体で設置場所・費用を節減し大きさ・形状・材質等による音色・響きの不揃いを極力少なくし振動・音程の高低を演奏時連続的に変化できること、又、演奏部材に振動発生機能を持たせ安定した振動音を発生させることによりシンギングボールの音楽的な表現力を高めた自動演奏装置とすること。
【０００６】
【課題を解決するための手段】
本発明はシンギングボールの設置場所・費用を節減し、且つ音楽的な表現力を高めるためその内部に注入した液体液面を上下変位することにより演奏部材によって発生する振動音の高低を制御し連続的に自動演奏を行い得る装置としたものである。
【０００７】
又、演奏部材は従来と同様叩く又擦ることが可能とすることができこの場合の動作は自動または手動とすることができる。演奏部材がシンギングボールに非接触で磁力・誘電力・静電力・気体噴出力・液体噴出力・放電・超音波・音波等を周期的・連続的に発生して加振することにより安定した連続音で自動演奏できるものである。
【０００８】
【発明の実施の形態】
以下、図面を参照して本発明の好ましい実施の形態を説明する。図１から図８に本発明の自動演奏装置それぞれの形態を示す、図９から図１１に演奏部材それぞれの形態を示す。
【０００９】
図１において、Ａは上面図、Ｂは正面断面図、Ｃは側面図である。シンギングボール１は置き台２を構成する回転置き台２１、クッション２２の上に置かれている、液面８１の上下動は装置台４の内部に有る予備液体８２とのポンプ５によるパイプ５２、パイプ５７、パイプ５３を通しての液体８の増加と減少により行われる。液面８１の微小の上下動は第２のポンプ６の動作により行われる、開閉弁５５は液体８の流動を制止して液面８１の変化を防ぐものである、開閉弁５１は主にポンプ６の動作時ポンプ５との干渉を防ぐものである。ポンプ６の動作は第２のポンプ駆動部７により行われる、図の装置では電磁リニア駆動としている。ポンプ５は回転式・遠心式・軸流式・回転式・羽根式・往復式等を用いることができる、又、ポンプ６は図に示す往復式の他にポンプ５と同様適宜最適なものを備えることができる。パイプ５７、パイプ５３は伸縮できシンギングボール１の大きさ・深さにあわせて最適な位置に調節可能である。パイプ５３は保持部４１に調節部４２により固定される。尚、開閉弁・パイプ等の数・取りつけ位置又流路の切換えバイパス等は適宜設けられる。回転置き台２１の駆動は図２で説明する。液体８、予備液体８２は水を用いているが、油・アルコール・水銀・塩水・香水・コロイド溶液等の単一又は複合液体でも良い。
【００１０】
演奏部材３は保持部４３に調節部４４により位置決め固定され加振部３１がシンギングボール１の端面１１に接触・押圧している、この状態で置き台２が回転することにより演奏部材３が相対的に摺動移動し擦ることになり振動音を発生する。このとき図示していないが接触・押圧部に潤滑剤を塗布又は供給することができる。潤滑剤は液状の水・油等、個体の石墨・滑石等を使用することができる、又，滑り調節用に松脂の粉等も使用することができる。
【００１１】
シンギングボール１の材質はガラス・水晶・陶磁器・金属・セラミック・木・竹・プラスチック・ゴム等の単一又は複合・組合せで良い、又、演奏部材３で加振される部位のみ最適の材質や形状で構成しても良い。演奏部材３において加振部３１の材質は木・皮革・合成皮革・ゴム・エラストマー・布・フェルト・金属等で構成される、尚、表面には微小の凹凸を設けることができる。
【００１２】
図２は図１の正面断面図Ｂを拡大したもので置き台２について説明する。回転置き台２１は軸受け２５、２８により回転自在に保持される軸２６を持ち、モーター２３、歯車列２４により回転駆動される。クッション２２はシンギングボール１の振動を妨げないものである。尚軸受け２９は過大な面圧を受けた時の保護用としている。歯車列２４は摩擦プーリー・ベルト等でも良い、又、モーター２３をリニアモーターや超音波モーターとして回転置き台２１を駆動しても良い。
【００１３】
図３は図１でのシンギングボール１を演奏部材３が非接触で加振するものであり、Ａは上面図、Ｂは正面断面図、Ｃは側面図である。側面１３に磁性体１２を設けこれに磁力を発生する加振部３１を近接させて設定した振動数の周期で磁力又は磁極を変化すると共に液面８１の上下動を行う、又は、図示していないが検出装置を備え液面８１の上下動に伴い変化する振動又は振動音を検出して磁力又は磁極を変化させることによりシンギングボール１の振動音を制御するものである。
【００１４】
尚、磁性体１２は強磁性・常磁性・反磁性等でありシンギングボール１に取りつけ・一体化・混合・インサート・表面コーティング等で側面１３又は端面１１に全周又は部分的に設けられ加振部３１を端面１１の軸線方向或いは直角方向等任意の角度で近接加振することができる。
【００１５】
図３の場合演奏部材３は磁力に限らず誘電力・静電力・空気噴出力・液体噴出力・放電等を使用可能であり、磁性体１２の有無、側面１３、端面１１の形状・材質等は適宜選択可能であり最良の組合せで演奏することができる。又、置き台２は回転せず固定置き台とすることができる。
【００１６】
図４において、Ａは上面図、Ｂは正面断面図、Ｃは側面図である。この実施形態は排水部材９をシンギングボール１内の液体８内に侵入・出を行い液面８１を上下動することにより発生する振動音の高低を制御するものである。シンギングボール１は固定置き台２７に載置されておりその形状をいわゆるワイングラス型としている、この形状は細い柱部１６で振動を吸収することにより上部１４の振動が下部１５により制限されることを防ぐことが出来る、これにより置き台２のクッション２２を省略することができる。演奏部材３は加振部３１が端面１１から外れることのない様被保持部９２を中心として回転する。図示していないが回転駆動力は電気モーターであり回転数を制御可能とすることができる。シンギングボール１の材質・形態・形状、演奏部材３・加振部３１の材質・形態・形状等また、動さ等は図１での説明と同様とすることができる。また演奏部材３が非接触の場合も図３での説明と同様とすることができる。この場合演奏部材３は回転しないで固定とすることができる。
【００１７】
図５において、Ａは上面図、Ｂは正面断面図、Ｃは側面図である。この実施形態は図４の演奏部材３を変更して加振部３１が回転して端面１１と接触する構造である。被保持部９２を中心としなくても良い、端面１１への加振部３１の摺動方向は接線方向・法線方向或いは角度を設けても良い。
【００１８】
図６において、Ａは上面図、Ｂは正面断面図、Ｃは側面図である。シンギングボール１は置き台２に設けられた保持部２０１との間の噴出液体８３により浮遊保持されている。噴出液体８３は予備液体８２を第３のポンプ１０で噴出口２０２から吐出し供給し排水路２０３で回収し再び予備液体８２となる。この時シンギングボール１は回転・非回転いずれかをとることができる。
【００１９】
この実施形態は図１でのポンプ５による液体８の増加と減少の動作と図４での排水部材９による液面８１の上下動動作を組合せたものである。他の構成要素・動作も図１、図３、図４での説明と同様とすることができる。
【００２０】
図７において、Ａは上面図、Ｂは正面断面図、Ｃは側面図である。この実施形態は袋状容器１００を備えシンギングボール１内の液体８が袋状容器１００の内部にありその上面を液面８１としている。袋状容器１００は例えば薄肉ゴム状で伸縮自在のもの、可撓性プラスチック状のもの等で構成され液体８が外部へ流出しない様にしたものである。他の構成要素・動作等は図１、図２、図３での説明と同様とすることができる。
【００２１】
図８において、Ａは上面図、Ｂは正面断面図、Ｃは側面図である。この実施形態は液体８の中に備えられた袋状容器１００の内部の気体１０２をパイプ５３を通じて気体ポンプ１１０により増加・減少の出し入れをすることにより液面８１を上下動するものである。ここで浮き防止板１０１は袋状容器１００の浮き上がり防止をしている。気体充填口５６から気体の必要量を充填する。ポンプ駆動部１２０はリニア駆動としている。気体１０２は移動速度が速く液面８１のすばやい上下動を実現できる。
【００２２】
袋状容器１００は図７での説明と同様のものを使用できる。他の構成要素・動作等は図１、図２、図３での説明と同様とすることができる。
【００２３】
図９において、演奏部材３はシンギングボール１の端面１１に接触・押圧する加振部３１、アーム３５とこれを支える保持部３４、押圧力を生じる付勢部材３６等で構成されている。加振部３１の材質等また演奏部材３の取りつけ等は図１での説明と同様である。付勢部材３６はコイルバネ等の他図示していないが加振部３１と端面１１との摩擦力や振動・音等の検出装置を備え調整・駆動回路を経由して付勢駆動し最適な付勢力を与える構造としても良い。駆動力はモーター・電磁プランジャー・リニア駆動・水圧・空気圧等とすることができる。演奏部材３はこの他図示していないが加振部３１を振動させるための振動発生駆動機構を備えることができる。
【００２４】
図１０において、演奏部材３はシンギングボール１の側面１３に設けられた磁性体１２に磁力を加えることのできる加振部３１、駆動部３７を備えたアーム３５とこれを支える保持部３４、及び、遠近調節部３８等で構成されている。加振部３１の材質は珪素鋼鈑等の透磁率が大で磁気ヒステリシスが小さいものが使用される。駆動部３７は導電コイルであり、これに周波数をもつ電流又は周期的なパルス電流又は交番電流等を流すことにより電流−磁気変換され加振部３１から磁力が発せられる。尚、遠近調整部３８は図では手動調整・固定式である、これを図示していないが磁性体１２又は側面１３と加振部３１との距離検出装置を備え調整・駆動回路を経由して最適な位置を取ることができる、駆動力はモーター・電磁プランジャー・リニア駆動・水圧・空気圧等とすることができる。演奏部材３の取りつけ等は図３での説明と同様である。
【００２５】
図１１において、演奏部材３は吐出ノズルとした加振部３１からの噴出する気体をシンギングボール１の側面１３或いは端面１１に吹き付け加振するものである。加振部３１、駆動部３７以外は図１０と同様の構造・動作・取りつけとすることができる、尚、気体は空気を使用することができるが、気体の替わりに液体として水を使用することができる。
【００２６】
以上、図１から図１１に示した図により本発明自動演奏装置の実施の形態を説明した。本発明の実施は以上の図に限らず種種の組合せ・応用・展開可能であり必要に応じ本発明の主旨を逸脱しない範囲で改良・変更・追加・削除等が可能である。例えば底部に開口部を設け液体８の増加と減少にかかわる液体の流路としたシンギングボール１を使用することも可能である。
【００２７】
【実施例】
本発明の実施例を図１に示す、シンギングボール１はガラス製である、回転置き台２１は金属製、クッション２２はゴム、予備液体８２と液体８は水、ポンプ５は回転式ギアーポンプで液体の流動方向は回転の正逆により行う、開閉弁５１は電磁弁とし、開閉弁５５は水抜き用で手動としている、空気抜き部５４はパイプ・ポンプ内の不要な空気を抜き取るときに使用する。演奏部材３は図９に示した構造であり加振部３１の材質は天然ゴムで表面に凹凸・ディンプルが有る、加振部は交換可能である。回転置き台２１はモーター２３、歯車列２４により回転駆動される。加振部３１がシンギングボール１の端面１１に接触・押圧した状態で回転置き台２１と共にシンギングボール１が回転すると接触・押圧し擦ることになり、この擦り摩擦の滑り振動が端面１１しいてはシンギングボール１の振動となり振動音を発生する。図示していないが演奏プログラム設定・振動音検出・音程入力記憶読み出し・振動数比較差異検出・振動音大小比較差異検出・是正信号出力・ポンプ駆動電源供給・モーター駆動電源供給・接触圧調節・潤滑剤供給等を連係して演奏プログラムに基づく自動演奏を行う。因みに液面８１が上がれば低音、下がれば高音となる。
【００２８】
【発明の効果】
以上のように、本発明の音響発生器シンギングボール自動演奏装置はその発生音の高低を連続的に調節でき、又、任意或いは演奏プログラムで特定の音階に制御でき音楽的表現力が顕著に増大した。更に、複数のシンギングボールのハーモニー演奏を自動プログラム演奏することができる。本発明のシンギングボール自動演奏装置は個人はもちろん家庭・屋内・屋外・噴水と合わせて・公園・病院・公会堂・広場・寺院・音楽堂等に持ち込み或いは設置して演奏使用できる。
【図面の簡単な説明】
【図１】本発明のシンギングボール自動演奏装置の代表的形状の一例を示す図である。
【図２】図１Ｂの拡大図である。
【図３】本発明のシンギングボール自動演奏装置の代表的形状の一例を示す図である。
【図４】本発明のシンギングボール自動演奏装置の代表的形状の一例を示す図である。
【図５】本発明のシンギングボール自動演奏装置の代表的形状の一例を示す図である。
【図６】本発明のシンギングボール自動演奏装置の代表的形状の一例を示す図である。
【図７】本発明のシンギングボール自動演奏装置の代表的形状の一例を示す図である。
【図８】本発明のシンギングボール自動演奏装置の代表的形状の一例を示す図である。
【図９】本発明のシンギングボール自動演奏装置の演奏部材の代表的形状の一例を示す部分断面図である。
【図１０】本発明のシンギングボール自動演奏装置の演奏部材の代表的形状の一例を示す部分断面図である。
【図１１】本発明のシンギングボール自動演奏装置の演奏部材の代表的形状の一例を示す部分断面図である。
【符号の説明】
１　　　シンギングボール
１１　　端面
１２　　磁性体
１３　　側面
１４　　上部
１５　　下部
１６　　柱部
２　　　置き台
２１　　回転置き台
２２　　クッション
２３　　モーター
２４　　歯車列
２５　　軸受け
２６　　軸
２７　　固定置き台
２８　　軸受け
２９　　軸受け
２０１　保持部
２０２　噴出口
２０３　排水路
３　　　演奏部材
３１　　加振部
３２　　回転部
３３　　回転部
３４　　保持部
３５　　アーム
３６　　付勢部材
３７　　駆動部
３８　　遠近調節部
４　　　装置台
４１　　保持部
４２　　調節部
４３　　保持部
４４　　調節部
４５　　保持部
４６　　高さ調節部
４７　　保持部
５　　　ポンプ
５１　　開閉弁
５２　　パイプ
５３　　パイプ
５４　　空気抜き部
５５　　開閉弁
５６　　気体充填口
５７　　パイプ
６　　　第２のポンプ
７　　　第２のポンプ駆動部
８　　　液体
８１　　液面
８２　　予備液体
８３　　噴出液体
９　　　排水部材
９１　　駆動部
９２　　被保持部
１０　　第３のポンプ
１００　袋状容器
１０１　浮き防止板
１０２　気体
１１０　気体ポンプ
１２０　ポンプ駆動部
【図１】
2004126489.tif 000003
【図２】
2004126489.tif 000004
【図３】
2004126489.tif 000005
【図４】
2004126489.tif 000006
【図５】
2004126489.tif 000007
【図６】
2004126489.tif 000008
【図７】
2004126489.tif 000009
【図８】
2004126489.tif 000010
【図９】
2004126489.tif 000011
【図１０】
2004126489.tif 000012
【図１１】
2004126489.tif 000013